(57)【要約】【課題】  光信号ケーブルの切断等のトラブルが発生しても、安全に光伝送を行う。【解決手段】  省電力マイコン１４により、所定幅ＰＷであり、所定間隔ＰＩのパルス信号Ｓ１を生成し、省電力マイコン２６によりパルス信号Ｓ１に基づきＰＷ及びＰＩを検出し、光信号ケーブル２Ａ分のパルス信号Ｓ４を生成し、省電力マイコン１４により、パルス信号Ｓ４に基づき光信号ケーブル２Ａの接続状態を検出し、検出結果からパルス信号Ｓ７を生成し、省電力マイコン２６により、パルス信号Ｓ７に基づき正常に動作（接続されている）している光信号ケーブル２Ａを認識する。【選択図】  図２
2007258813.tif 000002
【特許請求の範囲】
【請求項１】
一方端側が実データの送信に利用される複数の実データ伝送用光ケーブル及び制御データの伝送に利用される制御データ伝送用光ケーブルの一方端に接続され、他方端側がシンク機器側に接続され、当該実データ伝送用光ケーブルを介して供給された光信号を電気信号に変換し、変換後の信号に所定の処理を行い、処理後の信号を当該シンク機器に供給し、当該シンク機器から供給された信号を光信号に変換し、変換後の光信号を当該制御データ伝送用光ケーブルに出力する第１のモジュールと、一方端側が上記複数の実データ伝送用光ケーブル及び上記制御データ伝送用光ケーブルの他方端に接続され、他方端側がソース機器側に接続され、当該ソース機器から供給された信号に所定の処理を行い、処理後の信号を光信号に変換し、変換後の光信号を当該実データ伝送用光ケーブルに出力し、当該制御データ伝送用光ケーブルを介して供給された光信号を電気信号に変換し、変換後の電気信号を当該ソース機器に出力する第２のモジュールとから構成される光伝送ユニットにおいて、
上記第１のモジュールは、
任意のパルス幅で構成される第１のパルス信号を任意のパルス間隔で生成する第１の信号生成手段と、
上記第１の信号生成手段により生成された上記第１のパルス信号を第１の光信号に変換し、上記第１の光信号を上記制御データ伝送用光ケーブルを介して上記第２のモジュールに供給する第１の電気光変換手段と、
上記実データ伝送用光ケーブルを介して上記ソース機器から供給された第２の光信号を電気信号に変換する第１の光電気変換手段と、
上記第１の光電気変換手段で変換された上記電気信号のパルス幅とパルス間隔とを検出する第１の信号検出手段と、
上記第１の信号検出手段により検出された上記パルス間隔に基づいて、上記実データ伝送用光ケーブルの接続状態を判断し、上記接続状態を示すパルス幅で構成される第３のパルス信号を生成するように上記第１の信号生成手段を制御する制御手段とを備え、
上記第１の信号生成手段は、上記制御手段の制御にしたがって上記第３のパルス信号から第３の光信号を生成し、
上記第２のモジュールは、
上記第１の電気光変換手段により上記制御データ伝送用光ケーブルを介して供給された、上記第１の光信号を第１の電気信号に変換し、上記第３の光信号を第３の電気信号に変換する第２の光電気変換手段と、
上記第２の光電気変換手段で変換された上記第１の電気信号及び上記第３の電気信号のパルス幅とパルス間隔とを検出する第２の信号検出手段と、
上記第２の信号検出手段により検出された上記第１の電気信号のパルス幅と同一のパルス幅であって、上記実データ伝送用光ケーブルの本数に基づいて決定されるパルス間隔によって構成される第２のパルス信号を生成する第２の信号生成手段と、
上記第２の信号生成手段により生成された上記第２のパルス信号を上記第２の光信号に変換し、上記第２の光信号を上記実データ伝送用光ケーブルを介して上記第１のモジュールに供給する第２の電気光変換手段と、
上記第２の信号変換手段により検出された上記第３の電気信号のパルス幅とパルス間隔とから、上記実データ伝送用光ケーブルの接続状態が正常かどうかを判断する判断手段とを備えることを特徴とする光伝送ユニット。
【請求項２】
一方端側が実データの送信に利用される複数の実データ伝送用光ケーブル及び制御データの伝送に利用される制御データ伝送用光ケーブルの一方端に接続され、他方端側がシンク機器側に接続され、当該実データ伝送用光ケーブルを介して供給された光信号を電気信号に変換し、変換後の信号に所定の処理を行い、処理後の信号を当該シンク機器に供給し、当該シンク機器から供給された信号を光信号に変換し、変換後の光信号を当該制御データ伝送用光ケーブルに出力する第１のモジュールと、一方端側が上記複数の実データ伝送用光ケーブル及び上記制御データ伝送用光ケーブルの他方端に接続され、他方端側がソース機器側に接続され、当該ソース機器から供給された信号に所定の処理を行い、処理後の信号を光信号に変換し、変換後の光信号を当該実データ伝送用光ケーブルに出力し、当該制御データ伝送用光ケーブルを介して供給された光信号を電気信号に変換し、変換後の電気信号を当該ソース機器に出力する第２のモジュールとから構成される光伝送ユニットにおける光ケーブル検査方法において、
上記第１のモジュールは、
任意のパルス幅で構成される第１のパルス信号を任意のパルス間隔で生成し、
上記第１のパルス信号を第１の光信号に変換し、
上記第１の光信号を上記制御データ伝送用光ケーブルを介して上記第２のモジュールに供給し、
上記第２のモジュールは、
上記制御データ伝送用光ケーブルを介して供給された上記第１の光信号を第１の電気信号に変換し、
上記第１の電気信号のパルス幅とパルス間隔とを検出し、
上記第１の電気信号のパルス幅と同一のパルス幅であって、上記実データ伝送用光ケーブルの本数に基づいて決定されるパルス間隔によって構成される第２のパルス信号を生成し、
上記第２のパルス信号を上記第２の光信号に変換し、
上記第２の光信号を上記実データ伝送用光ケーブルを介して上記第１のモジュールに供給し、
上記第１のモジュールは、
上記実データ伝送用光ケーブルを介して供給された上記第２の光信号を電気信号に変換し、
上記電気信号のパルス幅とパルス間隔とを検出し、
検出された上記パルス間隔に基づいて、上記実データ伝送用光ケーブルの接続状態を判断し、上記接続状態を示すパルス幅で構成される第３のパルス信号を生成し、
上記第３のパルス信号を第３の光信号に変換し、
上記第３の光信号を上記制御データ伝送用光ケーブルを介して上記第２のモジュールに供給し、
上記第２のモジュールは、
上記制御データ伝送用光ケーブルを介して供給された上記第３の光信号を電気信号に変換し、
上記電気信号のパルス幅とパルス間隔とから、上記実データ伝送用光ケーブルの接続状態が正常かどうかを判断することを特徴とする光ケーブル検査方法。
【発明の詳細な説明】
【技術分野】
【０００１】
本発明は、ソース機器とシンク機器間において信号を伝送する光伝送ユニット及び光ケーブル検査方法に関する。
【背景技術】
【０００２】
ＴＶチューナ、ＨＤＤレコーダ等のビデオ信号を出力するソース機器と、ディスプレイ等の画像を表示するシンク（モニタ）機器との間で、電気信号によりデジタルビデオ信号を伝送させる規格として、ＤＶＩ（Digital Visual Interface）や、ＨＤＭＩ（High Definition Multimedia Interface）がある。
【０００３】
これらの規格では、ＴＭＤＳ（Transition Minimized Differential Signaling）と呼ばれる差動の電気信号でビデオ信号を伝送し、ＲＧＢ（又はＹＵＶ）のビデオ信号３ｃｈ＋クロック信号１ｃｈの構成が可能である。
【０００４】
また、ＤＶＩやＨＤＭＩ規格準拠の電気ケーブルを用いてＦｕｌｌ ＨＤと呼ばれるフォーマットを伝送する場合には、ピクセルレートは、１４８．５Ｍｂｐｓ（＠６０Ｈｚ）となり、ＴＭＤＳ１ｃｈあたりの伝送帯域は、１．４８５Ｇｂｐｓとなる。このような高ビットレートでの伝送においては、伝送距離は、数メートルが限界となる。
【０００５】
そこで、この伝送距離の制限を打破するために、ＲＧＢ（又はＹＵＶ）のビデオ信号及びクロック信号のそれぞれを光信号に変換して長距離伝送する技術（特許文献１参照）や、ＷＤＭ（Wavelength Division Multiplexing）伝送により実現する技術（特許文献２参照）が提案されている。
【０００６】
これらの提案技術によれば、送信機側において、Ｅ／Ｏ変換器（Electrical/Optical Converter）によってＲＧＢ（又はＹＵＶ）のビデオ信号やクロック信号を光信号に一旦変換し、受信機側において、Ｏ／Ｅ変換器（Optical/Electrical Converter）によって当該光信号を再び電気信号に変換することにより信号伝送を行っている。
【０００７】
【特許文献１】特開２００２−３６６３４０号公報
【特許文献２】特開２００３−２７３８３４号公報
【発明の開示】
【発明が解決しようとする課題】
【０００８】
しかしながら、このような手法によると、光伝送による長距離通信が可能になる一方で、従来の電気信号による信号伝送にはなかった問題が発生する。例えば、何らかの原因によって、光信号ケーブルが途中で切断してしまっていたり、或いは光信号ケーブルのコネクタが外れていたりして、光伝送信号（強いレーザ光線）が光信号ケーブルの外に漏れてしまう場合がある。
【０００９】
そこで、本発明は、このような実情に鑑みて提案されたものであり、光伝送による長距離通信を可能にしつつ、光信号ケーブルの切断等のトラブルが発生しても、安全に光伝送を行う光伝送ユニット及び光ケーブル検査方法を提供することを目的とする。
【課題を解決するための手段】
【００１０】
本発明に係る光伝送ユニットは、上述した課題を解決するために、一方端側が実データの送信に利用される複数の実データ伝送用光ケーブル及び制御データの伝送に利用される制御データ伝送用光ケーブルの一方端に接続され、他方端側がシンク機器側に接続され、当該実データ伝送用光ケーブルを介して供給された光信号を電気信号に変換し、変換後の信号に所定の処理を行い、処理後の信号を当該シンク機器に供給し、当該シンク機器から供給された信号を光信号に変換し、変換後の光信号を当該制御データ伝送用光ケーブルに出力する第１のモジュールと、一方端側が上記複数の実データ伝送用光ケーブル及び上記制御データ伝送用光ケーブルの他方端に接続され、他方端側がソース機器側に接続され、当該ソース機器から供給された信号に所定の処理を行い、処理後の信号を光信号に変換し、変換後の光信号を当該実データ伝送用光ケーブルに出力し、当該制御データ伝送用光ケーブルを介して供給された光信号を電気信号に変換し、変換後の電気信号を当該ソース機器に出力する第２のモジュールとから構成される光伝送ユニットにおいて、上記第１のモジュールは、任意のパルス幅で構成される第１のパルス信号を任意のパルス間隔で生成する第１の信号生成手段と、上記第１の信号生成手段により生成された上記第１のパルス信号を第１の光信号に変換し、上記第１の光信号を上記制御データ伝送用光ケーブルを介して上記第２のモジュールに供給する第１の電気光変換手段と、上記実データ伝送用光ケーブルを介して上記ソース機器から供給された第２の光信号を電気信号に変換する第１の光電気変換手段と、上記第１の光電気変換手段で変換された上記電気信号のパルス幅とパルス間隔とを検出する第１の信号検出手段と、上記第１の信号検出手段により検出された上記パルス間隔に基づいて、上記実データ伝送用光ケーブルの接続状態を判断し、上記接続状態を示すパルス幅で構成される第３のパルス信号を生成するように上記第１の信号生成手段を制御する制御手段とを備え、上記第１の信号生成手段は、上記制御手段の制御にしたがって上記第３のパルス信号から第３の光信号を生成し、上記第２のモジュールは、上記第１の電気光変換手段により上記制御データ伝送用光ケーブルを介して供給された、上記第１の光信号を第１の電気信号に変換し、上記第３の光信号を第３の電気信号に変換する第２の光電気変換手段と、上記第２の光電気変換手段で変換された上記第１の電気信号及び上記第３の電気信号のパルス幅とパルス間隔とを検出する第２の信号検出手段と、上記第２の信号検出手段により検出された上記第１の電気信号のパルス幅と同一のパルス幅であって、上記実データ伝送用光ケーブルの本数に基づいて決定されるパルス間隔によって構成される第２のパルス信号を生成する第２の信号生成手段と、上記第２の信号生成手段により生成された上記第２のパルス信号を上記第２の光信号に変換し、上記第２の光信号を上記実データ伝送用光ケーブルを介して上記第１のモジュールに供給する第２の電気光変換手段と、上記第２の信号変換手段により検出された上記第３の電気信号のパルス幅とパルス間隔とから、上記実データ伝送用光ケーブルの接続状態が正常かどうかを判断する判断手段とを備える。
【００１１】
また、本発明に係る光ケーブル検査方法は、上述した課題を解決するために、一方端側が実データの送信に利用される複数の実データ伝送用光ケーブル及び制御データの伝送に利用される制御データ伝送用光ケーブルの一方端に接続され、他方端側がシンク機器側に接続され、当該実データ伝送用光ケーブルを介して供給された光信号を電気信号に変換し、変換後の信号に所定の処理を行い、処理後の信号を当該シンク機器に供給し、当該シンク機器から供給された信号を光信号に変換し、変換後の光信号を当該制御データ伝送用光ケーブルに出力する第１のモジュールと、一方端側が上記複数の実データ伝送用光ケーブル及び上記制御データ伝送用光ケーブルの他方端に接続され、他方端側がソース機器側に接続され、当該ソース機器から供給された信号に所定の処理を行い、処理後の信号を光信号に変換し、変換後の光信号を当該実データ伝送用光ケーブルに出力し、当該制御データ伝送用光ケーブルを介して供給された光信号を電気信号に変換し、変換後の電気信号を当該ソース機器に出力する第２のモジュールとから構成される光伝送ユニットにおける光ケーブル検査方法において、上記第１のモジュールは、任意のパルス幅で構成される第１のパルス信号を任意のパルス間隔で生成し、上記第１のパルス信号を第１の光信号に変換し、上記第１の光信号を上記制御データ伝送用光ケーブルを介して上記第２のモジュールに供給し、上記第２のモジュールは、上記制御データ伝送用光ケーブルを介して供給された上記第１の光信号を第１の電気信号に変換し、上記第１の電気信号のパルス幅とパルス間隔とを検出し、上記第１の電気信号のパルス幅と同一のパルス幅であって、上記実データ伝送用光ケーブルの本数に基づいて決定されるパルス間隔によって構成される第２のパルス信号を生成し、上記第２のパルス信号を上記第２の光信号に変換し、上記第２の光信号を上記実データ伝送用光ケーブルを介して上記第１のモジュールに供給し、上記第１のモジュールは、上記実データ伝送用光ケーブルを介して供給された上記第２の光信号を電気信号に変換し、上記電気信号のパルス幅とパルス間隔とを検出し、検出された上記パルス間隔に基づいて、上記実データ伝送用光ケーブルの接続状態を判断し、上記接続状態を示すパルス幅で構成される第３のパルス信号を生成し、上記第３のパルス信号を第３の光信号に変換し、上記第３の光信号を上記制御データ伝送用光ケーブルを介して上記第２のモジュールに供給し、上記第２のモジュールは、上記制御データ伝送用光ケーブルを介して供給された上記第３の光信号を電気信号に変換し、上記電気信号のパルス幅とパルス間隔とから、上記実データ伝送用光ケーブルの接続状態が正常かどうかを判断する。
【発明の効果】
【００１２】
本発明では、第１のモジュールと第２のモジュールとの間で、強度の弱い光により光信号ケーブルの接続状態をチェックするネゴシエイションを実行するので、光信号ケーブルが途中で切断していたり、又は接続端子が外れている場合であっても、安全性を確保することができる。
【発明を実施するための最良の形態】
【００１３】
以下、本発明を適用した具体的な実施の形態について、図面を参照しながら詳細に説明する。本実施の形態は、シンク機器とソース機器間との間で行われる映像信号及び制御信号の伝送を担う光伝送ユニット１に適用されるものである。
【００１４】
光伝送ユニット１は、図１に示すように、シンク（モニタ）機器とソース機器間との間で行われる映像信号及び制御信号の伝送を担う第１のモジュール３と第２のモジュール４とから構成される。
【００１５】
第１のモジュール３は、光信号ケーブル２を介して供給された光信号を電気信号に変換するＯ／Ｅ変換部１０と、変換後の信号（シリアル信号）をパラレル信号に変換するＳＥＲＤＥＳ部１１と、モニタ機器１００の制御信号Ｉ／Ｆ１０１に接続され、所定の信号処理を行うロジック部１２と、モニタ機器１００のＲＧＢ Ｉ／Ｆ１０２に接続されるＲＧＢ Ｉ／Ｆデバイス１３と、第１のモジュール３本体の省電力を図る省電力マイコン１４と、電気信号を光信号に変換するＥ／Ｏ変換部１５とを備える。また、本実施例では、Ｏ／Ｅ変換部１０は、Ｏ／Ｅ変換部１０Ａ、Ｏ／Ｅ変換部１０Ｂ及びＯ／Ｅ変換部１０Ｃの三つで構成され、ＳＥＲＤＥＳ部１１は、ＳＥＲＤＥＳ部１１Ａ、ＳＥＲＤＥＳ部１１Ｂ及びＳＥＲＤＥＳ部１１Ｃの三つで構成されるものとする。
【００１６】
第２のモジュール４は、ソース機器２００のＲＧＢ Ｉ／Ｆ２０２に接続されるＲＧＢ Ｉ／Ｆデバイス２１と、ソース機器２００の制御信号Ｉ／Ｆ２０１に接続され、ＲＧＢ Ｉ／Ｆデバイス２１から供給される信号に所定の信号処理を行うロジック部２２と、ロジック部２２から供給される信号（パラレル信号）をシリアル信号に変換するＳＥＲＤＥＳ部２３と、電気信号を光信号に変換するＥ／Ｏ変換部２４と、光信号を電気信号に変換するＯ／Ｅ変換部２５と、第２のモジュール４本体の省電力を図る省電力マイコン２６とを備える。また、本実施例では、Ｅ／Ｏ変換部２４は、Ｅ／Ｏ変換部２４Ａ、Ｅ／Ｏ変換部２４Ｂ及びＥ／Ｏ変換部２４Ｃの三つで構成され、ＳＥＲＤＥＳ部２３は、ＳＥＲＤＥＳ部２３Ａ、ＳＥＲＤＥＳ部２３Ｂ及びＳＥＲＤＥＳ部２３Ｃの三つで構成されるものとする。
【００１７】
また、光信号ケーブル２は、映像データ等の実データの送信に利用される複数の実データ伝送用光信号ケーブル２Ａと、制御データの送受信に利用される制御データ伝送用光信号ケーブル２Ｂとから構成される。なお、本実施例においては、実データ伝送用光信号ケーブル２Ａは、３本で構成されるものとして説明を行うが、本数はこれに限られない。
【００１８】
ソース機器２００及びモニタ機器１００に実装されるＲＧＢ Ｉ／Ｆ部１０２，２０２で送受信される信号を、ＲＧＢ Ｉ／Ｆデバイスでインターフェースする。
【００１９】
ＲＧＢ Ｉ／Ｆデバイス１３，２１は、ＤＶＩ（Digital Visual Interface）又はＨＤＭＩ（High Definition Multimedia Interface）規格等に準拠したデバイスである。
【００２０】
ロジック部１２，２２は、ＲＧＢ Ｉ／Ｆ１０２，２０２及び制御信号Ｉ／Ｆ１０１，２０１により送受信される信号を、それぞれの方向に対して１本のストリームに時分割多重／分離する機能を有する。また、ロジック部１２，２２は、ＦＰＧＡ（Field Programmable Gate Array）等で実現される。
【００２１】
ＳＥＲＤＥＳ部１１，２３は、ストリームに多重化されたビデオ信号及び制御信号等をシリアライズ又はデシリアライズし、光伝送に適した符号変換（エンコード）又は逆符号（復号）変換（デコード）を行う。また、ＳＥＲＤＥＳ部１１，２３は、シリアライズ＋８Ｂ１０Ｂエンコード／デシリアライズ＋８Ｂ１０Ｂデコード等の機能を有している。
【００２２】
Ｅ／Ｏ変換部１５，２４は、電気信号を光信号に変換する変換器であり、Ｏ／Ｅ変換部１０，２５は、光信号を電気信号に変換する変換器である。また、Ｅ／Ｏ変換部１５，２４により変換された光信号は、光信号ケーブル２を介してＯ／Ｅ変換部２５，１０に光伝送される。
【００２３】
省電力マイコン１４，２６は、ソース機器２００とモニタ機器１００とがパワーオンする時に光信号ケーブル２の接続状態をチェックする。
【００２４】
ここで、光伝送ユニット１による光信号ケーブル２のチェック動作について、図２に示すフローチャートを参照して説明する。なお、以下の説明では、第１のモジュール３のＯ／Ｅ変換部１０と、省電力マイコン１４と、Ｅ／Ｏ変換部１５とは、省電力モード（待機電力モード）の状態にあり、ＳＥＲＤＥＳ部１１その他の構成要素には、電源が供給されていない。また、第２のモジュール４のＥ／Ｏ変換部２４と、Ｏ／Ｅ変換部２５と、省電力マイコン２６とは、省電力モードの状態にあり、ＳＥＲＤＥＳ部２３その他の構成要素には、電源が供給されていない。
【００２５】
ステップＳＴ１において、省電力マイコン１４は、任意のパルス幅ＰＷで構成される第１のパルス信号Ｓ１を任意のパルス間隔ＰＩで生成する。省電力マイコン１４は、制御信号Ｉ／Ｆ１０１を介してモニタ機器１００から供給される信号（例えば、起動信号）に応じて、例えば、パルス幅ＰＷが１０ｍｓ、パルス間隔ＰＩが１１０ｍｓで構成されるパルス信号Ｓ１を生成する。また、省電力マイコン１４は、生成したパルス信号Ｓ１をＥ／Ｏ変換部１５に供給する。
【００２６】
こうすることにより、パルス信号Ｓ１の光パワーは、１／１１に低減することができる。したがって、光信号ケーブル２が切断している場合であっても、切断面から出射される光のパワーは弱いため、安全性を確保することができる。
【００２７】
ステップＳＴ２において、Ｅ／Ｏ変換部１５は、供給されたパルス信号Ｓ１を光信号Ｓ２に変換し、光信号Ｓ２を制御データ送受信用光信号ケーブル２Ｂに出力する。
【００２８】
ステップＳＴ３において、第２のモジュール４のＯ／Ｅ変換部２５は、制御データ送受信用光信号ケーブル２Ｂを介して供給された光信号Ｓ２を受信し、電気信号Ｓ３に変換する。Ｏ／Ｅ変換部２５は、変換後の電気信号Ｓ３を省電力マイコン２６に供給する。
【００２９】
ステップＳＴ４において、省電力マイコン２６は、供給された電気信号Ｓ３から、パルス幅ＰＷ及びパルス間隔ＰＩを検出する。なお、省電力マイコン２６は、Ｏ／Ｅ変換部２５から電気信号Ｓ３の供給がない場合には、モニタ機器１００側から光信号が供給されていないか、又は光信号ケーブル２が結線されていないと判断し、省電力モードを維持する。
【００３０】
ステップＳＴ５において、省電力マイコン２６は、ステップＳＴ４の工程により検出されたパルス幅ＰＷ及びパルス間隔ＰＩから、現在、光信号ケーブル２のチェック動作中であることを認識し、パルス幅ＰＷと同一のパルス幅ＰＷであって、所定間隔ＰＩ（例えば、ＰＩ＝ＰＷ×Ｎである。なお、Ｎは、実データ伝送用光信号ケーブル２Ａの本数である。）のパルス信号Ｓ４を、パルス幅ＰＷ分だけ位相を遅延させて、実データ伝送用光信号ケーブル２Ａの本数分（例えば３波）生成する。省電力マイコン２６は、生成した三つのパルス信号Ｓ４をＥ／Ｏ変換部１５に供給する。
【００３１】
ステップＳＴ６において、Ｅ／Ｏ変換部２４は、供給されたパルス信号Ｓ４をそれぞれ光信号Ｓ５に変換し、光信号Ｓ５を実データ伝送用光信号ケーブル２Ａに出力する。
【００３２】
ステップＳＴ７において、Ｏ／Ｅ変換部１０は、供給された３波分の光信号Ｓ５を電気信号Ｓ６に変換し、電気信号Ｓ６を省電力マイコン１４に供給する。なお、以降では、位相の遅延がない信号を電気信号Ｓ６Ａと呼び、位相が１ＰＷ分遅延している信号を電気信号Ｓ６Ｂと呼び、位相が２ＰＷ分遅延している信号を電気信号Ｓ６Ｃと呼ぶ。
【００３３】
ステップＳＴ８において、省電力マイコン１４は、最初に供給される電気信号Ｓ６Ａに基づいて、パルス幅ＰＷ及びパルス間隔ＰＩを検出し、パルス幅ＰＷが所定幅であることを確認し、パルス幅ＰＷとパルス間隔ＰＩとから実データ伝送用光信号ケーブル２Ａの本数Ｎ（Ｎ＝ＰＩ／ＰＷ）を求める。省電力マイコン１４は、Ｏ／Ｅ変換部１０から供給される電気信号Ｓ６の数が、求めた実データ伝送用光信号ケーブル２Ａの本数Ｎと一致している場合には、すべてのＯ／Ｅ変換部１０に正しく実データ伝送用光信号ケーブル２Ａが接続されていると判断する。また、省電力マイコン１４は、Ｏ／Ｅ変換部１０から供給される電気信号Ｓ６の数が、求めた実データ伝送用光信号ケーブル２Ａの本数Ｎと不一致する場合には、Ｏ／Ｅ変換部１０に正しく実データ伝送用光信号ケーブル２Ａが接続されていないと判断する。
【００３４】
ステップＳＴ９において、省電力マイコン１４は、実データ伝送用光信号ケーブル２Ａの状況報告を第２のモジュール４の省電力マイコン２６に通知する。省電力マイコン１４は、所定のパルス幅ＰＷであり、所定のパルス間隔ＰＩ（例えば、ＰＩ＝ＰＷ×（Ｍ＋１）である。なお、Ｍは、正常に動作していると判断された実データ伝送用光信号ケーブル２Ａの本数である。）で構成されるパルス信号Ｓ７を生成する。また、省電力マイコン１４は、正常に動作している実データ伝送用光信号ケーブル２Ａが一本もない場合には、パルス信号Ｓ８（例えば、ＰＩ＝ＰＷ×（Ｎｍａｘ＋２）である。なお、Ｎｍａｘは、実データ伝送用光信号ケーブル２Ａの本数Ｎの最大値である。）を生成する。
【００３５】
ステップＳＴ１０において、Ｅ／Ｏ変換部１５は、パルス信号Ｓ７又はパルス信号Ｓ８を光信号Ｓ９に変換し、光信号Ｓ９を制御データ送受信用光信号ケーブル２Ｂに出力する。
【００３６】
ステップＳＴ１１において、第２のモジュール４のＯ／Ｅ変換部２５は、制御データ送受信用光信号ケーブル２Ｂを介して供給された光信号Ｓ９を受信し、電気信号Ｓ１０に変換する。Ｏ／Ｅ変換部２５は、変換後の電気信号Ｓ１０を省電力マイコン２６に供給する。
【００３７】
ステップＳＴ１２において、省電力マイコン２６は、供給された電気信号Ｓ１０から、パルス幅ＰＷ及びパルス間隔ＰＩを検出する。省電力マイコン２６は、パルス幅ＰＷが所定幅であることを確認し、パルス幅ＰＷとパルス間隔ＰＩとから正常に動作している実データ伝送用光信号ケーブル２Ａの本数Ｍ（Ｍ＝ＰＩ／ＰＷ）を求める。なお、省電力マイコン２６は、Ｍが「Ｎｍａｘ＋２」の場合には、正常に動作している実データ伝送用光信号ケーブル２Ａは「０」本であるの場合には、正常に動作している実データ伝送用光信号ケーブル２Ａは「０」本であると認識する。
【００３８】
省電力マイコン２６は、ステップＳＴ４の工程乃至ステップＳＴ１２の工程から、光信号ケーブル２の結線状況を把握することができ、当該結線状況をソース機器２００に通知する。ソース機器２００は、正しく結線されている光信号ケーブル２にのみ信号を供給するように動作する。
【００３９】
ここで、第１のモジュール３の省電力マイコン１４によるチェック動作について、図３及び図４に示すフローチャートを参照して、さらに詳述する。なお、以降では、省電力マイコン１４の出力端子を「Serial Out」と呼び、省電力マイコン２６の入力端子を「Serial In」と呼び、Ｅ／Ｏ変換部２４のそれぞれの出力端子を「I/O1 Out」、「I/O2 Out」及び「I/O3 Out」と呼び、Ｏ／Ｅ変換部１０のそれぞれの入力端子を「I/O1 In」、「I/O2 In」及び「I/O3 In」と呼ぶ。
【００４０】
省電力マイコン１４は、初期設定として、正常に動作していると判断される実データ伝送用光信号ケーブル２Ａの本数「Ｍ」を「０」に設定し（ステップＳＴ２１）、「I/O In」の割り込み設定し（ステップＳＴ２２）、割り込みタイマーを任意のパルス幅「ＰＷ」にセットし（ステップＳＴ２３）、「Serial Out」を「High」にセットする（ステップＳＴ２４）。
【００４１】
つぎに、省電力マイコン１４は、タイマー割り込みがあったかどうかを判断し（ステップＳＴ２５）、タイマー割り込みがあったと判断した場合には、割り込みタイマーを任意のパルス間隔「ＰＩ」（本実施例では、便宜的にＰＩを１１０ｍｓにしている。）にセットし（ステップＳＴ２６）、「Serial Out」を「Low」にセットし（ステップＳＴ２７）、タイマー割り込みがあったかどうかを判断する（ステップＳＴ２８）。
【００４２】
つぎに、省電力マイコン１４は、ステップＳＴ２８の工程において、タイマー割り込みがあったと判断した場合に、「I/O1 In」に割り込みがあったかどうかを判断し（ステップＳＴ２９）、割り込みがなかった場合にはステップＳＴ２３の工程に戻る。
【００４３】
つぎに、省電力マイコン１４は、ステップＳＴ２９の工程において、割り込みがあったと判断された場合、「I/O2 In」に割り込みがあったかどうかを判断し（ステップＳＴ３０）、割り込みがなかった場合にはステップＳＴ３１に進む。また、省電力マイコン１４は、ステップＳＴ３１の工程において、「Ｍ」を「１」に設定し、ステップＳＴ３５の工程に進む。
【００４４】
省電力マイコン１４は、ステップＳＴ３０の工程において、「I/O2 In」に割り込みがあったと判断された場合、「I/O3 In」に割り込みがあったかどうかを判断し（ステップＳＴ３２）、割り込みがなかったと判断した場合にはステップＳＴ３３に進み、割り込みがあったと判断した場合にはステップＳＴ３４に進む。また、省電力マイコン１４は、ステップＳＴ３３の工程において、「Ｍ」を「２」に設定し、ステップＳＴ３５の工程に進み、また、ステップＳＴ３４の工程において、「Ｍ」を「３」に設定し、ステップＳＴ３５の工程に進む。
【００４５】
つぎに、省電力マイコン１４は、割り込みタイマーを所定のパルス幅「ＰＷ」にセットし（ステップＳＴ３５）、「Serial Out」を「High」にセットし（ステップＳＴ３６）、タイマーの割り込みがあるかどうかを判断する（ステップＳＴ３７）。省電力マイコン１４は、タイマー割り込みがあった場合には、ステップＳＴ３１、ステップＳＴ３３又はステップＳＴ３４の工程により設定された「Ｍ」に基づいて、割り込みタイマーを所定のパルス幅「ＰＷ×（Ｍ＋１）」にセットし（ステップＳＴ３８）、「Serial Out」を「Low」にセットする（ステップＳＴ３９）。
【００４６】
つぎに、省電力マイコン１４は、タイマー割り込みがあったかどうかを判断し（ステップＳＴ４０）、タイマー割り込みがあったと判断した場合には、第２のモジュール４から映像（ＲＧＢ）信号が供給されたかどうかを判断し（ステップＳＴ４１）、映像信号が供給されていないと判断した場合には、ステップＳＴ３５の工程に戻り、映像信号が供給されていると判断した場合には、モニタ機器１００に操作権を渡す（ステップＳＴ４２）。
【００４７】
また、第２のモジュール４の省電力マイコン２６によるチェック動作について、図５に示すフローチャートを参照して、さらに詳述する。
【００４８】
省電力マイコン２６は、初期設定として、実データ伝送用光信号ケーブル２Ａの本数「Ｎ」を「３」に設定し（ステップＳＴ５１）、「Serial In」の割り込みを設定し（ステップＳＴ５２）、「Serial In」に割り込みがあったかどうかを判断する（ステップＳＴ５３）。
【００４９】
つぎに、省電力マイコン２６は、「Serial In」に割り込みがあったと判断した場合には、アップカウンタのカウント値を「０」にセットし（ステップＳＴ５４）、「Serial In」の割り込みがあったかどうかを判断する（ステップＳＴ５５）。
【００５０】
省電力マイコン２６は、ステップＳＴ５５の工程において、割り込みがあったと判断した場合には、アップカウンタのカウント値が所定のパルス幅「ＰＩ」になっているかどうかを判断し（ステップＳＴ５６）、「ＰＩ」になっていない場合には、ステップＳＴ５３の工程に戻り、「ＰＩ」になっている場合には、ステップＳＴ５７の工程に進む。
【００５１】
つぎに、省電力マイコン２６は、「Ｎ」を「３」に設定し（ステップＳＴ５７）、割り込みタイマーに任意のパルス幅「ＰＷ」をセットし（ステップＳＴ５８）、「Serial（Ｎ） Out」を「High」にセットし（ステップＳＴ５９）、タイマーの割り込みがあったかどうかを判断する（ステップＳＴ６０）。
【００５２】
省電力マイコン２６は、ステップＳＴ６０の工程において、タイマーの割り込みがあったと判断した場合には、割り込みタイマーを任意のパルス幅「ＰＷ」にセットし（ステップＳＴ６１）、「Serial（Ｎ） Out」を「Low」にセットし（ステップＳＴ６２）、タイマーの割り込みがあったかどうかを判断する（ステップＳＴ６３）。
【００５３】
省電力マイコン２６は、ステップＳＴ６３の工程において、タイマーの割り込みがあったと判断した場合には、設定されている「Ｎ」から１を減じる（ステップＳＴ６４）。省電力マイコン２６は、ステップＳＴ６４の工程で得られた「Ｎ」が、「０」かどうかを判断し（ステップＳＴ６５）、「０」でない場合にはステップＳＴ５８の工程に戻り、「０」である場合にはステップＳＴ６６の工程に進む。
【００５４】
つぎに、省電力マイコン２６は、「Serial In」の割り込みがあったかどうかを判断し（ステップＳＴ６６）、割り込みがないと判断した場合にはステップＳＴ５７の工程に戻り、割り込みがあったと判断した場合にはステップＳＴ６７の工程に進む。
【００５５】
つぎに、省電力マイコン２６は、アップカウンタのカウント値を「０」にセットし（ステップＳＴ６７）、「Serial In」の割り込みがあったかどうかを判断する（ステップＳＴ６８）。
【００５６】
つぎに、省電力マイコン２６は、「Serial In」の割り込みがあったと判断した場合には、アップカウンタのカウント値がＮＧ＝ＰＷ×（Ｎｍａｘ＋２）ｍｓのパルス間隔「ＰＩ」であるかどうかを判断し（ステップＳＴ６９）、カウント値が「ＰＩ」（例えば、パルス間隔ＰＩが１１０ｍｓ）である場合にはステップＳＴ５７の工程に戻り、カウント値が「ＰＩ」ではない場合にはステップＳＴ７０の工程に進む。
【００５７】
そして、省電力マイコン２６は、ステップＳＴ６９の工程において、カウント値が「ＰＩ」でない場合に、「Ｍ」を所定の演算（例えば、Ｍ＝（ＰＩ／ＰＷ）−１）により求め（ステップＳＴ７０）、求めた「Ｍ」をソース機器２００に通知する（ステップＳＴ７１）。
【００５８】
このようにして、光伝送ユニット１は、第１のモジュール３と第２のモジュール４との間で、図２に示すような光信号ケーブル２の接続状態をチェックするネゴシエイションを実行するので、光信号ケーブル２が途中で切断していたり、又は接続端子が外れている場合であっても、切断面又は端子面から出射される光のパワーは弱いため、安全性を確保することができる。
【００５９】
また、光伝送ユニット１は、第１のモジュール３と第２のモジュール４との間で、図２に示すような光信号ケーブル２の接続状態をチェックするネゴシエイションを実行するので、光信号ケーブル２の接続不良又は故障状況を把握することができ、その結果をシステムの上位層に通知するので、トータルシステムの信頼性の向上を図ることができる。
【００６０】
また、光伝送ユニット１は、省電力マイコン１４，２６を利用して光信号ケーブル２の接続状態をチェックする複雑なネゴシエイションを実行するので、ソフトウエアによる制御を容易に実現化することができ、また、ハードウエアの増大を避けることができ、また、コストダウンを図ることもでき、さらに、省スペース化を図ることもできる。
【００６１】
さらに、光伝送ユニット１の省電力マイコン１４，２６は、モバイル機器等の低消費電力に特化した低消費電力用のマイコンであるため、スリープモード（待機電力モード）機能や割り込みにより起動する機能を自在に使い分けることができ、省電力化を図ることができる。
【００６２】
また、光伝送ユニット１の省電力マイコン１４，２６は、スタンバイ起動用の他のマイコンとの共用も柔軟に図ることができる。
【００６３】
なお、上述した実施例では、光信号ケーブル２の接続状態をチェックする動作は、パワーオン直後としたが、これに限られず、パワーオン後定期的にチェック動作を行う構成であっても良い。
【００６４】
更に、上述した実施例では、光信号ケーブル２の接続状態をチェックする動作は、パワーオン直後としたが、これに限られず、映像信号の伝送異常をシステムが検出した場合にチェック動作を行う構成であっても良い。
【００６５】
また、本発明は上述した実施例に限定されるものではなく、本発明の要旨を逸脱しない範囲において種々の変更が可能であることは勿論である。
【図面の簡単な説明】
【００６６】
【図１】本発明に係る光伝送ユニットの構成を示すブロック図である。
【図２】光信号ケーブルのチェック動作を行うネゴシエイションについての説明に供するフローチャートである。
【図３】第１のモジュールの省電力マイコンによるチェック動作についての説明に供する第１のフローチャートである。
【図４】第１のモジュールの省電力マイコンによるチェック動作についての説明に供する第２のフローチャートである。
【図５】第２のモジュールの省電力マイコンによるチェック動作についての説明に供するフローチャートである。
【符号の説明】
【００６７】
１  光伝送ユニット、３  第１のモジュール、４  第２のモジュール、１０，２５  Ｏ／Ｅ変換部、１１，２３  ＳＥＲＤＥＳ部、１２，２２  ロジック部、１３，２１  ＲＧＢ Ｉ／Ｆデバイス、１４，２６  省電力マイコン、１５，２４  Ｅ／Ｏ変換部
【図１】
2007258813.tif 000003
【図２】
2007258813.tif 000004
【図３】
2007258813.tif 000005
【図４】
2007258813.tif 000006
【図５】
2007258813.tif 000007